(57)【要約】【課題】高さの相違する現場でも外観良く施工することができ、下方スペースの使い勝手も良好となるパネル装置、及び、このパネル装置を天井高さの相違に対応して施工することができ、調理作業スペースも大きくなる対面式キッチンカウンターを提供すること。【解決手段】上端に上走行部１、下端に下走行部２を各々有するパネル本体３と、上走行部１がスライド自在に係合される上走行受け具４と、下走行部２がスライド自在に係合される下走行受け具５と、を備えて、パネル本体３は開閉自在に支持され、上走行受け具４はその上方を上取り付け部６として形成され、下走行受け具５はその側方を側取り付け部７として形成されたパネル装置８とし、これを備えた対面式キッチンカウンターとした。【選択図】図１
2011104098.tif 000002
【特許請求の範囲】
【請求項１】
上端に上走行部、下端に下走行部を各々有するパネル本体と、前記上走行部がスライド自在に係合される上走行受け具と、前記下走行部がスライド自在に係合される下走行受け具と、を備えて、前記パネル本体は開閉自在に支持され、前記上走行受け具はその上方を上取り付け部として形成され、前記下走行受け具はその側方を側取り付け部として形成されたパネル装置。
【請求項２】
キャビネット上にカウンターを有し、キッチンとダイニングとの間に設置される対面式キッチンカウンターであって、請求項１記載のパネル装置を備え、前記上走行受け具の上取り行け部は天井に取り付けられ、前記下走行受け具の側取り付け部は前記パネル本体の下端高さ位置に対応して前記キャビネットのダイニング側となる後側面に取り付けられるものである対面式キッチンカウンター。
【請求項３】
前記カウンターの後端部が前記キャビネットより後方に延設され、この延設されたカウンターの後端部の下側に前記下走行受け具が納められるものであることを特徴とする請求項２記載の対面式キッチンカウンター。
【発明の詳細な説明】
【技術分野】
【０００１】
本願発明は、パネル本体が開閉自在に支持されるように設けられ、例えば、対面式キッチンカウンターの上方空間において、キッチンとダイニングとの間を仕切ることができるパネル装置及びこれを備えた対面式キッチンカウンターに関する。
【背景技術】
【０００２】
従来から、特開２００２−５８５４９号公報（特許文献１）に示されるように、キッチンとダイニングとの間を目隠しして仕切るパネル装置（開閉扉）を備えた対面式キッチンカウンターは知られている。この場合、パネル装置は折り畳み式であり、カウンターの上面とカウンターの上方に一体化して形成された上枠部との間で開閉自在となるように設けられている。
【０００３】
したがって、この対面式キッチンカウンターにおいては、パネル装置を閉状態とすることで、キッチンとダイニングとの間を目隠しして仕切ることができ、キッチンで発生する煙や臭気等がダイニングへと流出することも防止される。逆に、パネル装置を開状態とすることで、キッチンとダイニングとの間で対面して対話をすることができ、キッチンからダイニングにあるテレビを観ることもできる。
【先行技術文献】
【特許文献】
【０００４】
【特許文献１】特開２００２−５８５４９号公報
【発明の概要】
【発明が解決しようとする課題】
【０００５】
しかしながら、上記従来の対面式キッチンカウンターにあっては、パネル装置がカウンターの上面とカウンターの上方に一体化して形成された上枠部との間に設けられるものである。そのため、パネル装置が設けられる部位の上下高さ寸法が決まっており、施工現場に対応して施工できないものであった。すなわち、天井が低い施工現場では、上枠部が天井に当たって施工できず、天井が高い施工現場では、上枠部と天井との間に隙間が発生して施工仕上がり外観が悪くなってしまうという問題があった。
【０００６】
又、パネル装置がカウンター上で折り畳み式に開閉されるものであるため、カウンター上に大きな開閉スペースを要する。そのため、キッチン側からの調理作業中に開閉されるパネル装置が邪魔になって、カウンター上の調理作業スペースを大きく確保することができず、使い勝手が悪いという問題もあった。
【０００７】
本願発明は、上記背景技術に鑑みて発明されたもので、その目的は、上下高さ寸法の相違する施工現場でも、仕上がり外観良く施工することができ、パネル本体の下端部分が邪魔にならず、下方スペースの使い勝手も良好となるパネル装置を提供することである。
【０００８】
本願発明の更なる目的は、天井高さが異なる施工現場にも対応して上記パネル装置を外観良く取り付けることができ、カウンター上の調理作業スペースを大きく確保することができて、使い勝手も良好となる対面式キッチンカウンターを提供することである。
【課題を解決するための手段】
【０００９】
上記課題を解決するための第１の手段として、上端に上走行部、下端に下走行部を各々有するパネル本体と、上走行部がスライド自在に係合される上走行受け具と、下走行部がスライド自在に係合される下走行受け具と、を備えて、パネル本体は開閉自在に支持され、上走行受け具はその上方を上取り付け部として形成され、下走行受け具はその側方を側取り付け部として形成されたパネル装置とした。
【００１０】
又、第２の手段として、キャビネット上にカウンターを有し、キッチンとダイニングとの間に設置される対面式キッチンカウンターであって、上記請求項１記載のパネル装置を備え、上走行受け具の上取り行け部は天井に取り付けられ、下走行受け具の側取り付け部はパネル本体の下端高さ位置に対応してキャビネットのダイニング側となる後側面に取り付けられるものである対面式キッチンカウンターとした。
【００１１】
又、上記第２の手段においては、カウンターの後端部がキャビネットより後方に延設され、この延設されたカウンターの後端部の下側に下走行受け具が納められるものであることが好ましい。
【発明の効果】
【００１２】
本願発明のパネル装置においては、上下高さ寸法の相違する施工現場でも、下走行受け具の側取り付け部を高さ調整して取り付けることができる。これにより、上下に隙間が発生しないよう仕上がり外観良く施工することができ、パネル本体の下端部分が邪魔にならず、下方スペースの使い勝手も良好となる。
【００１３】
本願発明の対面式キッチンカウンターにおいては、天井高さが異なる施工現場にも対応してパネル装置を取り付けることができ、施工仕上がり外観も良好となる。しかも、パネル装置はカウンターの後方で開閉されて邪魔にならず、カウンター上の調理作業スペースを大きく確保することができて、調理作業中の使い勝手も良好となる。
【図面の簡単な説明】
【００１４】
【図１】本願発明の一実施形態であるパネル装置及びこれを備えた対面式キッチンカウンターを示す要部側断面図。
【図２】同実施形態における閉状態を示す概略斜視図。
【図３】同実施形態における開状態を示す概略斜視図。
【図４】本願発明の別の実施形態であるパネル装置及びこれを備えた対面式キッチンカウンターを示す要部側断面図。
【発明を実施するための形態】
【００１５】
図１〜３は、本願発明の一実施形態であるパネル装置８及びこれを備えた対面式キッチンカウンターを示している。この実施形態のパネル装置８は、上端に上走行部１、下端に下走行部２を各々有するパネル本体３と、上走行部１がスライド自在に係合される上走行受け具４と、下走行部２がスライド自在に係合される下走行受け具５と、を備える。これにより、パネル本体３は開閉自在に支持される。そして、上走行受け具４はその上方を上取り付け部６として形成され、下走行受け具５はその側方を側取り付け部７として形成されている。
【００１６】
又、この実施形態の対面式キッチンカウンターは、キャビネット９上にカウンター１０を有し、キッチンＫとダイニングＤとの間に設置される。そして、この対面式キッチンカウンターでは、パネル装置８を備え、上走行受け具４の上取り行け部６は天井１１に取り付けられ、下走行受け具５の側取り付け部７はパネル本体３の下端高さ位置に対応してキャビネット９のダイニングＤ側となる後側面１２に取り付けられる。この場合、カウンター１０の後端部１３がキャビネット９より後方に延設され、この延設されたカウンター１０の後端部１３の下側に下走行受け具５が納められてもいる。
【００１７】
以下、この実施形態のパネル装置８及び対面式キッチンカウンターをより具体的詳細に説明する。まず、対面式キッチンカウンターは、図２、３に示すように、木製のキャビネット９上に合成樹脂製或いはステンレス製のカウンター１０を設置固定することで、その主体が構成されている。キャビネット９は前方に開口した箱型であり、両側板、天板、底板、背板を有し、この場合、天板としてカウンター１０が共用されてもよく、底板の下側に台輪が介在設置されてもよい。キャビネット９には、引出し１４や前面扉１５が配設されており、その内部に調理器具や食器等の台所用品が収納される。
【００１８】
カウンター１０には、電子調理器、ガスコンロ等の調理機器１６及びシンク１７が配設されており、シンク１７の後側には吐水カラン１８が立設されている。カウンター１０の大きさはキャビネット９の平面視の外形に略合致しているが、カウンター１０の後端部１３についてはキャビネット９よりも後方へ延出突設されている。このカウンター１０の後端部１３の下側において、キャビネット９の後側面１２に後述するパネル装置８の下走行受け具５が取り付けられる。この下走行受け具５と上走行受け具４との間に、複数枚（ここでは三枚）のパネル本体３が引き違い式開閉自在に支持されることで、対面式キッチンカウンターの全体は構成されている。
【００１９】
なお、対面式キッチンカウンターは、キッチンＫとダイニングＤとの間に両スペースを区切るように設置されるものである。その際、対面式キッチンカウンターは、その一方の側端部が部屋の壁面に当接されるように設置されても、或いは、両側端部とも部屋の壁面から離されるよう部屋の中程に設置されてもよい。
【００２０】
そして、図１に示すように、対面式キッチンカウンターのダイニングＤ側となる後方には、パネル装置８が備わっている。パネル装置８は、複数枚（ここでは三枚）で同形状のパネル本体３と、各パネル本体３を開閉自在に上下で支持する上走行受け具４、下走行受け具５と、を備えて構成される。パネル本体３は矩形状の板材であり、半透明若しくは不透明の合成樹脂板、或いは、木質板、金属板等でなる。
【００２１】
パネル本体３の両側端部付近の上端には、円盤状の上走行部１が突設されている。各上走行部１は、天井１１に取り付けられる上走行受け具４でスライド自在に支持される。上走行受け具４はアルミニウムで押出成形されたレール部材であり、下方に開口して長手方向に沿った複数条（ここでは三条）の走行支持溝部１９を有している。この上走行受け具４の上面が上取り付け部６として、天井１１にネジ止め、接着等の固着手段により取り付け固定される。そして、上走行受け具４の各走行支持溝部１９には、各パネル本体３の上走行部１がスライド自在に係合され、各パネル本体３は引き違い式開閉自在となるように吊り下げ支持される。
【００２２】
パネル本体３の下端には、前側（キッチンＫ側）上方へと略Ｌ字状に折曲突出する下走行部２が突設されている。なお、この下走行部２は、パネル本体３の巾方向全長にわたって設けられても、パネル本体３の巾方向で部分的に設けられてもよい。そして、各下走行部２は、キャビネット９の後側面１２に取り付けられる下走行受け具５でスライド自在に支持される。下走行受け具５は、木製の基台とその先端に取着固定される型材レール２０とで形成され、同基台の基端部分が側取り付け部７として、キャビネット９の背板でなる後側面１２にネジ止め、接着等の固着手段により取り付け固定される。なお、下走行受け具５の基台は、型材レール２０の長手方向全長にわたって設けられても、型材レール２０の長手方向で部分的に設けられてもよい。
【００２３】
この場合、後方に延設されたカウンター１０の後端部１３の下側において、下走行受け具５はキャビネット９の後側面１２に取り付け固定される。その際、カウンター１０の後端部１３の後方突出寸法に応じて、下走行受け具５の基台の基端部分（側取り付け部７）を切断除去することにより、下走行受け具５の後方突出寸法を調整することができる。これによって、カウンター１０の後端部１３とパネル本体３の前面とは近接されて両者間の隙間が小さく抑えられる。
【００２４】
又、型材レール２０はアルミニウムで押出成形されたもので、下方に開口して長手方向に沿った複数条（ここでは三条）の走行案内溝部２１を有している。そして、各走行案内溝部２１には、各パネル本体３の下走行部２の先端部分がスライド自在に係合され、各パネル本体３は引き違い式開閉自在となるようにガイド支持される。
【００２５】
したがって、この実施形態のパネル装置８においては、上走行受け具４の上方が上取り付け部６として形成されるのに対し、下走行受け具５はその側方が側取り付け部７として形成される。それ故、上走行受け具４は施工現場の高さ寸法に応じ所定の高さ位置で上取り付け部６によって（天井１１に）取り付けられる。これに対し、下走行受け具５は側取り付け部７によって、床上に設置された作業台のような設置物（対面式キッチンカウンターのキャビネット９）の側面（後側面１２）に高さ位置が規制されずに取り付けられる。
【００２６】
これにより、上下高さ寸法の相違する施工現場でも、下走行受け具５の側取り付け部７を作業台のような設置物（対面式キッチンカウンターのキャビネット９）の側面（後側面１２）に高さ調整して取り付けることができる。そのため、上下に隙間が発生しないよう仕上がり外観良く施工することができる。しかも、作業台上（カウンター１０上）でパネル本体３の下端部分が邪魔にならず、下方スペースとなる作業台上（カウンター１０上）スペースの使い勝手も良好となる。
【００２７】
更には、この実施形態の対面式キッチンカウンターにおいては、上走行受け具４の上取り行け部６が天井１１に取り付けられるのに対し、下走行受け具５の側取り付け部７はパネル本体３の下端高さ位置に対応してキャビネット９の後側面１２に取り付けられる。そのため、上走行受け具４は施工現場で決まった高さ位置となる天井１１に取り付けられるが、下走行受け具５はパネル本体３の上下寸法に応じてキャビネット９の後側面１２に自由な高さ位置で取り付けられる。
【００２８】
これにより、天井１１高さが異なる施工現場にあっても、パネル本体３の上下高さ寸法を変更するための切断作業は不要で、パネル装置８を簡単且つ確実に取り付け施工することができる。しかも、キッチンＫ側からの調理作業中であっても、パネル装置８はカウンター１０の後方で開閉されて邪魔にならず、カウンター１０上の調理作業スペースを大きく確保することができて、調理作業中の使い勝手も良好となる。
【００２９】
又、この実施形態の対面式キッチンカウンターにおいては、キャビネット９より後方に延設されたカウンター１０の後端部１３の下側に下走行受け具５が納められる。したがって、この下走行受け具５による走行部分は上方から見えないように隠され、カウンター１０の後端部１３とパネル本体３の前面とを近接させて両者間の隙間を小さく抑えることもでき、施工仕上がり外観を更に向上させることができる。しかも、この場合、後端部１３が後方に延設された分だけカウンター１０上の面積も拡大されるため、カウンター１０上の調理作業スペースはより大きく確保される。
【００３０】
そして、この実施形態の対面式キッチンカウンターにおいては、図２に示すように、パネル装置８を閉状態とすることで、キッチンＫとダイニングＤとの間を目隠しして仕切ることができ、キッチンＫで発生する煙や臭気等がダイニングＤへと流出することも防止される。又、逆に、図３に示すように、パネル装置８を開状態とすることで、キッチンＫとダイニングＤとの間で対面して対話をすることができ、キッチンＫからダイニングＤにあるテレビ２２を観ることもできる。
【００３１】
図４は、本願発明の別の実施形態であるパネル装置８及びこれを備えた対面式キッチンカウンターを示している。なお、ここでは、上記実施形態と相違する事項についてのみ説明し、その他の事項（構成、作用効果等）については、上記実施形態と同様であるのでその説明を省略する。
【００３２】
この実施形態においては、パネル本体３の上端部分が肉薄に形成されて、この上端部分そのものが上走行部１となる。上走行受け具４は合成樹脂で押出成形されたレール部材であり、下方に開口して長手方向に沿った複数条（ここでは三条）の走行保持溝部２３を有している。そして、上走行受け具４の各走行保持溝部２３には、各パネル本体３の上走行部１がスライド自在に係合され、各パネル本体３は引き違い式開閉自在となるようにガイド支持される。
【００３３】
パネル本体３の下端には、下面に凹溝を有する合成樹脂製ブロックによって下走行部２が形成されている。この下走行部２は、パネル本体３の巾方向全長にわたって設けられても、パネル本体３の巾方向で部分的に設けられてもよい。そして、下走行受け具５は、木製の基台とその先端部分上面に取着固定される型材レール２０とで形成され、同基台の基端部分が側取り付け部７として、キャビネット９の背板でなる後側面１２にネジ止め、接着等の固着手段により取り付け固定される。
【００３４】
又、型材レール２０はアルミニウムで押出成形されたもので、長手方向に沿って上方へ突出した複数条（ここでは三条）の走行支持凸条２４を有している。そして、各走行支持凸条２４には、各パネル本体３の下走行部２の凹溝がスライド自在に係合され、各パネル本体３は引き違い式開閉自在となるように荷重受け支持される。この場合、下走行受け具５が荷重を受けるので、この下走行受け具５が取り付け固定されるキャビネット９の後側面１２は、背板と共に補強されることが望まれる。
【００３５】
なお、上記いずれの実施形態にあっても、パネル装置８は複数枚のパネル本体３が引き違い式に開閉されるものであったが、本願発明においては、一枚のパネル本体がスライドされて対面部位のみが開閉されるものであってもよく、パネル本体が折り畳み式に開閉されるものであってもよい。又、上記いずれの実施形態にあっても、天井１１は水平な天井面そのものであったが、本願発明の天井には、天井に垂設一体化されてその下端の高さ位置が決まっている建物構造物も含まれる。
【００３６】
又、本願発明における上走行受け具の上取り付け部は、上方に向け当て止めて高さ規制される状態で取り付けられるものであり、下走行受け具の側取り付け部は、側方に向け当て止めて高さ調整自在な状態で取り付けられるものであればよい。又、本願発明におけるダイニングＤには、ダイニングルームとして使用され得るリビングダイニングルーム、リビングルーム等も含まれる。又、本願発明のパネル装置８は、対面式キッチンカウンターだけでなく、例えば、組立作業台や事務テーブル等にも用いられる。
【符号の説明】
【００３７】
１  上走行部
２  下走行部
３  パネル本体
４  上走行受け具
５  下走行受け具
６  上取り付け部
７  側取り付け部
８  パネル装置
９  キャビネット
１０  カウンター
１１  天井
１２  後側面
Ｋ  キッチン
Ｄ  ダイニング
【図１】
2011104098.tif 000003
【図２】
2011104098.tif 000004
【図３】
2011104098.tif 000005
【図４】
2011104098.tif 000006